(57)【要約】【課題】高所作業車を使用することなく雷受電部を修理又は交換するなどのメンテナンスが容易にできる風車ブレードを提供すること。【解決手段】風車のブレード１０に雷受電部１２を設け、該雷受電部１２に落雷した雷電流を避雷導線１６、ブレードハブ１１、タワー４を経由して地中に導くようにした風車ブレードの落雷保護装置であって、雷受電部１２を複数個とし、避雷導線１６の先端に取付け、該避雷導線１６を押し出す（繰り出す）ことにより、ブレードハブ１１からブレード１０の表面の所定位置まで該ブレード１０内に配置されたガイドパイプ１３を通って案内移動され、ブレード１０の表面の所定位置に露出固定され、且つ避雷導線１６を引き抜くことにより所定位置からブレードハブ１１までブレード１０内をガイドパイプ１３内を通って案内移動されブレードハブ１１内に収容するように構成した。【選択図】図３
2009250040.tif 000002
【特許請求の範囲】
【請求項１】
風車のブレードに雷受電部を設け、該雷受電部に落雷した雷電流を避雷導線経由でブレードハブに導き、更にタワーを経由して地中に導くようにした風車ブレードの落雷保護装置であって、
前記雷受電部は、前記避雷導線の先端に取り付け、該避雷導線を押し出すことにより前記ブレードハブから前記ブレードの表面の所定位置まで該ブレード内を案内手段で案内され移動し、前記ブレードの表面の所定位置に露出固定され、且つ前記避雷導線を引き出すことにより前記所定位置から前記ブレードハブまで前記ブレード内を前記案内手段で案内され移動するように構成されていることを特徴とする風車ブレードの落雷保護装置。
【請求項２】
請求項１に記載の風車ブレードの落雷保護装置において、
前記雷受電部を、前記ブレードの表面の複数個所に設置できるように前記案内手段を複数設けたことを特徴とする風車ブレードの落雷保護装置。
【請求項３】
風車のブレードに雷受電部を設け、該雷受電部に落雷した雷電流を避雷導線経由でブレードハブに導き、更にタワーを経由して地中に導くようにした風車ブレードの落雷保護装置であって、
前記避雷導線の先端に雷受電部となるレセプターロッドを取り付け、
前記ブレード内に前記避雷導線に取り付けられたレセプターロッドを前記ブレードハブから前記ブレードの所定位置まで導くガイドパイプを設け、
前記ガイドパイプの先端部近傍には該ガイドパイプを通って導かれた前記レセプターロッドがその先端が前記ブレードの表面に露出した状態で係止するレセプターロッド係止部を設けたことを特徴とする風車ブレードの落雷保護装置。
【請求項４】
請求項３に記載の風車ブレードの落雷保護装置において、
前記レセプターロッドを、前記ブレードの表面の複数個所に設置できるように、前記ガイドパイプを複数設けたことを特徴とする風車ブレードの落雷保護装置。
【請求項５】
請求項３又は４に記載の風車ブレードの落雷保護装置において、
前記レセプターロッドは円柱状で後端部が前記避雷導線の先端に取り付けられたストッパー兼用継手部材に着脱自在に構成されていることを特徴とする風車ブレードの落雷保護装置。
【請求項６】
請求項５に記載の風車ブレードの落雷保護装置において、
前記レセプターロッドの長さ寸法は、該レセプターロッドを前記ストッパー兼用継手部材に装着された状態で前記ガイドパイプ内を移動し、該ストッパー兼用継手部材が前記レセプターロッド係止部に当接して停止した状態で前記レセプターロッドの先端が前記ブレード表面から所定寸法突出するように設定されていることを特徴とする風車ブレードの落雷保護装置。
【請求項７】
請求項５に記載の風車ブレードの落雷保護装置において、
前記レセプターロッドの先端は、該レセプターロッドを前記ストッパー兼用継手部材に装着された状態で前記ガイドパイプ内を移動し、該ストッパー兼用継手部材が前記レセプターロッド係止部に当接するまでスムーズに移動できるようにテーパー状に形成されていることを特徴とする風車ブレードの落雷保護装置。
【請求項８】
請求項３乃至７のいずれか１項に記載の風車ブレードの落雷保護装置において、
前記ブレードハブには前記ブレード表面側から前記ガイドパイプを通って浸入してくる雨水を外部に排水する排水手段を設けていることを特徴とする風車ブレードの落雷保護装置。
【発明の詳細な説明】
【技術分野】
【０００１】
本発明は、風車ブレードに雷受電部を設け、該雷受電部に落雷した雷電流を避雷導線を経由して地中に導く風車ブレードの落雷保護装置に関し、特に高所作業車を使用せずに簡単に雷受電部のメンテナンスができる風車ブレードの落雷保護装置に関するものである。
【背景技術】
【０００２】
風力発電設備等で使用される風車のブレードはガラス繊維補強プラスチック等の非電導性の材料で作られているにも関わらず雷はブレードに落ち、落雷によるアークがブレードの中に形成されると深刻な被害を受ける。そこで、風車のブレードの落雷保護としては、ブレード内側に雷アークの形成が避けられるように落雷点からブレードハブまで雷電流を導き、更にタワーを経由して地中まで導くことが必要である。その為にはブレードの表面に金属製の雷受電部を設け、該雷受電部に落雷を集中させ、ブレード内部に雷受電部からブレードハブまで避雷導線を設置することになる。
【０００３】
図１及び図２は従来の落雷保護装置の雷受電部の構成例を示す図である。図１に示す落雷保護装置は、風車のブレード１０１の先端部内に金属ブロック１０３を設け、該金属ブロック１０３に雷受電部となる金属製のボルト１０２、１０２を捩じ込んで装着している。そして金属ブロック１０３には避雷導線１０４を接続している。ボルト１０２、１０２に落雷した雷電流を避雷導線１０４を通して、ブレードハブ（図示せず）まで導き、更にタワーを経由して地中まで導いている。なお、図１（ａ）はブレード先端部の平面図、図１（ｂ）はＡ−Ａ断面図である。また、図２に示す落雷保護装置は、風車のブレード１０１の先端部１０５を金属で製作し、雷受電部の表面積を大きくしている。そして金属製の先端部１０５には避雷導線１０４を接続している。なお、図２（ａ）はブレード先端部の平面図、図２（ｂ）はブレード先端部の側面図である。
【発明の開示】
【発明が解決しようとする課題】
【０００４】
ブレードに設けられた金属製の雷受電部は、長期間使用していると、落雷によって溶けて変形する。特に冬季雷のような高エネルギーを有する雷が着雷すると雷受電部が溶けて変形し、ボルトタイプの雷受電部の場合は、ボルト頭部が消失してしまう程である。このように雷受電部が着雷により溶けて変形すると雷受電部として機能が低下したり、風車の回転中の異常音の発生の原因となる。そのため定期的に修理又は交換するなどのメンテナンスが不可欠である。しかし、風車のブレード１０１の金属製先端部１０５は、地上数十メートルの高さにあるため、高所作業車を使用した危険の伴う作業であり、且つ費用も高価になるという問題があった。
【０００５】
本発明は上述の点に鑑みてなされたもので、高所作業車を使用することなく雷受電部を修理又は交換するなどのメンテナンスが容易にできる風車ブレードの落雷保護装置を提供することを目的とする。
【課題を解決するための手段】
【０００６】
上記課題を解決するため本発明は、風車のブレードに雷受電部を設け、該雷受電部に落雷した雷電流を避雷導線経由でブレードハブに導き、更にタワーを経由して地中に導くようにした風車ブレードの落雷保護装置であって、雷受電部は、避雷導線の先端に取り付け、該避雷導線を押し出すことによりブレードハブからブレードの表面の所定位置まで該ブレード内を案内手段で案内され移動し、ブレードの表面の所定位置に露出固定され、且つ避雷導線を引き出すことにより所定位置からブレードハブまでブレード内を案内手段で案内され移動するように構成されていることを特徴とする。
【０００７】
避雷導線の先端に取り付けた雷受電部をブレードハブからブレードの表面の所定位置まで、該所定位置からブレードハブまで、ブレード内を案内手段で案内され移動するように構成されているので、高所作業車を使用することなく雷受電部を修理又は交換するなどのメンテナンスが容易にできる。
【０００８】
また、本発明は、上記記載の風車ブレードの落雷保護装置において、雷受電部を、ブレードの表面の複数個所に設置できるように案内手段を複数設けたことを特徴とする。
【０００９】
上記のように雷受電部をブレードの表面の複数個所に設置するので、その設置個所を選定することにより、ブレードの表面全体を落雷から保護することが可能となる。
【００１０】
また、本発明は、風車のブレードに雷受電部を設け、該雷受電部に落雷した雷電流を避雷導線経由でブレードハブに導き、更にタワーを経由して地中に導くようにした風車ブレードの落雷保護装置であって、避雷導線の先端に雷受電部となるレセプターロッドを取り付け、ブレード内に避雷導線に取り付けられたレセプターロッドをブレードハブからブレードの所定位置まで導くガイドパイプを設け、ガイドパイプの先端部近傍には該ガイドパイプを通って導かれたレセプターロッドがその先端がブレードの表面に露出した状態で係止するレセプターロッド係止部を設けたことを特徴とする。
【００１１】
上記のように避雷導線の先端に取り付けたレセプターロッドがガイドパイプを通ってブレードハブからブレードの所定位置まで導かれ、先端がブレードの表面に露出した状態でレセプターロッド係止部に係止して固定されるので、高所作業車を使用することなく雷受電部であるレセプターロッドの修理又は交換するなどのメンテナンスが容易にできる。
【００１２】
また、本発明は、上記風車ブレードの落雷保護装置において、レセプターロッドを、ブレードの表面の複数個所に設置できるように、ガイドパイプを複数設けたことを特徴とする。
【００１３】
上記のように雷受電部であるレセプターロッドをブレードの表面の複数個所に設置するので、その設置個所を選定することにより、ブレードの表面全体を落雷から保護することが可能となる。
【００１４】
また、本発明は、上記風車ブレードの落雷保護装置において、レセプターロッドは円柱状で後端部が避雷導線の先端に取り付けられたストッパー兼用継手部材に着脱自在に構成されていることを特徴とする。
【００１５】
上記のようにレセプターロッドの後端部がストッパー兼用継手部材に着脱自在に構成されているので、雷受電部であるレセプターロッドの修理、交換が容易となる。
【００１６】
また、本発明は、上記風車ブレードの落雷保護装置において、レセプターロッドの長さ寸法は、該レセプターロッドをストッパー兼用継手部材に装着された状態でガイドパイプ内を移動し、該ストッパー兼用継手部材がレセプターロッド係止部に当接して停止した状態でレセプターロッドの先端がブレード表面から所定寸法突出するように設定されていることを特徴とする。
【００１７】
上記のようにレセプターロッドの長さ寸法をストッパー兼用継手部材がレセプターロッド係止部に当接して停止した状態でレセプターロッドの先端がブレード表面から所定寸法突出するように設定されているので、風車が回転すると遠心力でレセプターロッドはその先端がブレード表面から所定寸法突出した状態で固定されることとなり、安定して雷受電部としての作用を果たす。
【００１８】
また、本発明は、上記風車ブレードの落雷保護装置において、レセプターロッドの先端は、該レセプターロッドをストッパー兼用継手部材に装着された状態でガイドパイプ内を移動し、該ストッパー兼用継手部材がレセプターロッド係止部に当接するまでスムーズに移動できるようにテーパー状に形成されていることを特徴とする。
【００１９】
上記のようにレセプターロッドの先端をストッパー兼用継手部材がレセプターロッド係止部に当接するまでスムーズに移動できるようにテーパー状に形成しているため、雷受電部であるレセプターロッドの設置が容易となる。
【００２０】
また、本発明は、上記風車ブレードの落雷保護装置において、ブレードハブにはブレード表面側からガイドパイプを通って浸入してくる雨水を外部に排水する排水手段を設けていることを特徴とする。
【００２１】
上記のようにブレードハブに排水手段を設けることにより、ブレード表面側からガイドパイプを通って浸入してくる雨水がブレードハブ内に滞留することがない。
【発明の効果】
【００２２】
本発明によれば風車のブレード表面の所定の位置に設置された雷受電部又は雷受電部であるレセプターロッドの修理又は交換するなどのメンテナンスを行なうのに高所作業車等を使用することなく容易に、且つ安価な費用で実施できる。また、雷受電部又は雷受電部であるレセプターロッドをブレード表面の複数個所に設置することにより、ブレードの全表面を落雷から防止できる。
【発明を実施するための最良の形態】
【００２３】
以下、本願発明の実施の形態例を図面に基づいて説明する。図３及び図４は本発明に係る落雷保護装置を備えた風車のブレードの構成例を示す図であり、図３（ａ）はブレードの側面図、図３（ｂ）はブレードの正面図、図４は図３（ａ）のＡ部分の拡大図である。図示するブレード１０はブレードハブ１１に複数本（図では３本）取り付けている。ブレード１０の前表面１０ａ及び裏表面１０ｂにはそれぞれ複数個（図では４個）、先端表面１０ｃには１個、計５個の雷受電部１２が設置されている。複数の雷受電部１２は後に詳述するように、それぞれブレード１０内に配置した複数本（図では５本）のガイドパイプ１３を通してブレードハブ１１の内側からブレード１０の前表面１０ａ、裏表面１０ｂの所定位置、及びブレード１０の先端表面１０ｃに設置できるようになっている。また、雷受電部１２を取り外すときは、それぞれ雷受電部１２に接続している避雷導線（ここでは図示せず）の設置位置からガイドパイプ１３内を通して引き抜くことにより、ブレードハブ１１の内側に収容できるようになっている。
【００２４】
雷受電部１２の設置部は図４に示すように、ブレード１０の前表面１０ａの所定個所には雷受電部設置穴１０ｄが形成され、該雷受電部設置穴１０ｄにガイドパイプ１３の先端部がブレードハブ１１からブレード１０内を通って接近している。ガイドパイプ１３の先端部には先端ガイドパイプ１４が設けられ、該先端ガイドパイプ１４を介してガイドパイプ１３の内部と雷受電部設置穴１０ｄが連通している。なお、雷受電部設置穴１０ｄが形成されている部分のブレード１０の内側面には、補強板１５が取り付けられ、ブレード１０の雷受電部設置穴１０ｄが形成された部分の周辺を補強している。
【００２５】
先端ガイドパイプ１４は図５（ａ）に示すように、ガイドパイプ１３の先端内部に挿入され、補強板１５を貫通して雷受電部設置穴１０ｄに挿入され、その先端面はブレード１０の前表面１０ａと同一面になるように形成されている。１６は雷受電部１２に落雷した雷電流をブレードハブ１１に流す避雷導線であり、該避雷導線１６の先端を円柱状のストッパー兼用継手部材１７に差込み溶接１８等で取り付けている。ストッパー兼用継手部材１７の避雷導線１６取り付け側の反対側面には、ネジ溝を切った穴が形成されている。雷受電部１２は円柱状のレセプターロッド１９を有しており、該レセプターロッド１９の後端部に切ったネジ溝１９ｄを上記ストッパー兼用継手部材１７のネジ穴に捩じ込みロックナット２０で締め付けることにより、レセプターロッド１９を避雷導線１６が接続されているストッパー兼用継手部材１７に固着できるようになっている。また、レセプターロッド１９をストッパー兼用継手部材１７から取り外すときは、ロックナット２０を緩めることにより行なう。
【００２６】
先端ガイドパイプ１４の後端部はレセプターロッド１９がブレード１０の表面側に飛び出る（移動する）のを阻止するレセプターロッド係止部となっている。即ち、避雷導線１６の先端に取り付けられたストッパー兼用継手部材１７に装着されたレセプターロッド１９は避雷導線１６を押し出すことにより、ブレードハブ１１の内側からガイドパイプ１３内を通って移動し、ストッパー兼用継手部材１７のレセプターロッド１９の装着側面が先端ガイドパイプ１４の後端部に当接することで、その移動は阻止される。この状態でレセプターロッド１９の先端がブレード１０の前表面１０ａから若干突出した状態になるように、ストッパー兼用継手部材１７の先端ガイドパイプ１４の当接面からレセプターロッド１９の先端までの寸法を設定する。また、先端ガイドパイプ１４は風車が回転した場合、雷受電部１２を構成するレセプターロッド１９やロックナット２０やストッパー兼用継手部材１７に遠心力が加わり、雷受電部１２がブレード１０の外側に飛び出るのを阻止し、雷受電部１２を固定する作用も奏する。
【００２７】
また、ガイドパイプ１３内に避雷導線１６の先端に取り付けたレセプターロッド１９を押し込んだ際、レセプターロッド１９の先端ガイドパイプ１４の後端部に引っ掛からないように構成している。つまり図５（ｂ）に示すように、先端ガイドパイプ１４の後端部内周面１４ａとレセプターロッド１９の先端外周面１９ａはテーパー状に加工されている。そして、先端ガイドパイプ１４の後端部内周面１４ａのテーパー寸法Ｔ１をレセプターロッド１９の先端部１９ａの外周面のテーパー寸法Ｔ２より小さく（Ｔ２＞Ｔ１）している。これによりレセプターロッド１９の先端部が先端ガイドパイプ１４の後端部に達した場合、レセプターロッド１９の先端部が該先端ガイドパイプ１４の後端部に阻止されることなく、スムーズに先端ガイドパイプ１４内に案内される。なお、レセプターロッド１９の先端部を円弧面又は楕円弧面状に形成してもよい。
【００２８】
上記構成の落雷保護装置を風車に取り付ける場合は、避雷導線１６の先端のストッパー兼用継手部材１７にレセプターロッド１９を装着し、レセプターロッド１９をブレードハブ１１の内側から先端ガイドパイプ１４内に押し込み、避雷導線１６を押し出す（繰り出す）ことにより、レセプターロッド１９はガイドパイプ１３内を進み、先端ガイドパイプ１４内に挿入される。ストッパー兼用継手部材１７が先端ガイドパイプ１４の後端に当接された状態で、レセプターロッド１９の先端部１９ａはブレード１０の前表面１０ａ、裏表面１０ｂ、先端表面に形成された雷受電部設置穴１０ｄから若干突出した状態にセットされる。このときブレード１０をブレードハブ１１より下方に垂直にセットする方が、雷受電部１２を構成するレセプターロッド１９等が重力により、スムーズに落下するからレセプターロッド１９のセットが容易となるが、必ずしも垂直に設置する必要はなく、場合によっては水平方向にセットしてもよい。なお、レセプターロッド１９、ストッパー兼用継手部材１７等よりなる雷受電部１２はブレード１０が回転することにより、遠心力を受け先端ガイドパイプ１４の後端の所定位置に自動的にセットされ固定される。
【００２９】
レセプターロッド１９が落雷によって溶け、雷受電部１２としての機能が低下したら、ブレードハブ１１の内側から避雷導線１６を引き抜き、レセプターロッド１９をブレードハブ１１内に取り込む。その後、レセプターロッド１９をストッパー兼用継手部材１７から取り外し、新しいレセプターロッド１９を装着し、再度ガイドパイプ１３を通して、先端ガイドパイプ１４内に導き、先端ガイドパイプ１４をセットする。なお、避雷導線１６を含む雷受電部１２を構成するレセプターロッド１９等はガイドパイプ１３内を落とし込むだけで固定する必要はない。即ち、ブレード１０のブレードハブ１１を中心とする回転により、遠心力が作用し、レセプターロッド１９等は正しい位置に自動的にセットされ固定される点は上記と同様である。
【００３０】
上記構成の落雷保護装置において、レセプターロッド１９に高電流の雷が着雷して避雷導線１６が万一溶断しても、ブレード１０の回転により、レセプターロッド１９に遠心力が作用してもストッパー兼用継手部材１７が先端ガイドパイプ１４の後端に当接しているので、レセプターロッド１９がブレード１０の外に飛び出ることが無く安全である。この場合、ガイドパイプ１３内に残ったレセプターロッド１９やストッパー兼用継手部材１７等を取り出す方法としては、ブレード１０を水平にセットし、ブレード１０の表面に設けた雷受電部設置穴１０ｄから別の避雷導線を挿入し、ガイドパイプ１３内をブレードハブ１１まで押し戻す必要がある。
【００３１】
また、風車の停止時には、ブレード１０の表面に形成された雷受電部設置穴１０ｄからガイドパイプ１３を通して雨水がブレードハブ１１に浸入してくることがある。その対策としては、図６に示すようにブレード１０内のブレードハブ１１取り付け部分にガイドパイプ１３内に連通するドレンボックス２２を設けると共に、該ドレンボックス２２に連通するドレンパイプ２３を設ける。そしてドレンパイプ２３の先端をブレードハブ１１の外側に配置することにより、ガイドパイプ１３を通ってドレンボックス２２内に浸入した雨水はブレードハブ１１の外側に排出される。
【００３２】
雷受電部１２のレセプターロッド１９の材質としては、防錆を考慮したステンレススティールや軽量化を考慮したアルミニウム鋳物など採用されるが、雷の着雷性能を考えて銅合金とするのがよい。しかし、冬季雷の様な高エネルギーの場合はレセプターロッド１９の早期変形が予想されるので、レセプターロッド１９の耐久性向上の為に白金又はイリジウム等の溶融温度が高い金属をレセプターロッド１９の金属母材（銅合金）の表面にメッキ又は溶接による盛金処理を施すことにより、着雷時にレセプターロッド１９の表面を高温のアークに溶け難くするのがよい。
【００３３】
一方、ストッパー兼用継手部材１７と避雷導線１６はステンレススティール製として、ストッパー兼用継手部材１７と避雷導線１６を接続する溶接１８はステンレススティール用の溶接棒を使用した溶接としている。
【００３４】
高電流が避雷導線１６に流れると、避雷導線１６の温度上昇により該避雷導線１６をカバーするガイドパイプ１３やブレード１０の内部がダメージを受ける場合がある。そこで，温度上昇を低減するためにＩＥＣ規格で推奨されている避雷導線のサイズ（５０ｍｍ2）よりも太い７５ｍｍ2の避雷導線を用いる。なお、導線のタイプは錆びの発生防止と取扱いの容易さを考慮してステンレススティール製の縒線とするとよい。また、ガイドパイプ１３にはＰＶＣ等の樹脂パイプを用いる。
【００３５】
図７は本発明に係る落雷保護装置を備えた風車設備の構成例を示す図である。図示するように、風車１はブレードハブ１１に複数本（例えば３本）のブレード１０を放射状に取り付けた構成である。ブレードハブ１１はナセル４内に収容された変速機（図示せず）の回転軸に支持され、風車１が回転すると該変速機を介して発電機（図示せず）が回転するようになっている。また、ナセル３はタワー４の頂部に水平方向に回転自在に支持されている。
【００３６】
上記構成の風車設備において、風車１のブレード１０の複数個所に設けられた雷受電部１２のレセプターロッド１９に着雷した雷電流を、避雷導線１６を経由してブレードハブ１１に導かれ、更にタワー４を経由して地中５に導く。このように風車１のブレード１０の表面の複数個所に雷受電部１２を設けたことにより、この雷受電部１２の設置位置と設置個数をブレード１０の形状大きさ等に応じて選択設置することにより、ブレード１０の全表面を着雷から保護することが可能となる。
【００３７】
以上、本発明の実施形態を説明したが、本発明は上記実施形態に限定されるものではなく、特許請求の範囲、及び明細書と図面に記載された技術的思想の範囲内において種々の変形が可能である。例えば、上記実施形態例では、雷受電部１２を構成するレセプターロッド１９やストッパー兼用継手部材１７等をガイドパイプ１３内を通して案内するようになっているが、案内手段はガイドパイプに限定されるものではない。また、雷受電部１２もレセプターロッドやストッパー兼用継手部材で構成されるものに限定されない。
【図面の簡単な説明】
【００３８】
【図１】従来の落雷保護装置の雷受電部の構成例を示す図である。
【図２】従来の落雷保護装置の雷受電部の構成例を示す図である。
【図３】本発明に係る落雷保護装置を備えた風車のブレードの構成例を示す図である。
【図４】図３（ａ）のＡ部分の拡大図である。
【図５】本発明に係る落雷保護装置の雷受電部の構成例を示す図である。
【図６】本発明に係る落雷保護装置を雨水排出部の構成例を示す図である。
【図７】本発明に係る落雷保護装置を備えた風車設備の構成例を示す図である。
【符号の説明】
【００３９】
１    風車
３    ナセル
４    タワー
５    地中
１０  ブレード
１１  ブレードハブ
１２  雷受電部
１３  ガイドパイプ
１４  先端ガイドパイプ
１５  補強板
１６  避雷導線
１７  ストッパー兼用継手部材
１８  溶接
１９  レセプターロッド
２０  ロックナット
２２  ドレンボックス
２３  ドレンパイプ
【図１】
2009250040.tif 000003
【図２】
2009250040.tif 000004
【図３】
2009250040.tif 000005
【図４】
2009250040.tif 000006
【図５】
2009250040.tif 000007
【図６】
2009250040.tif 000008
【図７】
2009250040.tif 000009